(57)【要約】      （修正有）【課題】建築現場用の枠組み足場柱とシート及びシート同士を安定して固定することができ、かつ作業時間を大幅に削減できる建築足場の固定構造を提供する。【解決手段】開口部３１を有するリング形状の構造体３２でありリングの両端部をかぎ形フック構造３４とし、且つ、形状記憶合金の素材から形成された足場固定冶具３０を、足場シートに具備されたハトメ穴に開口部３１を通して枠組み足場柱に嵌め込むことにより足場シートを枠組み足場柱に固定する。【選択図】図３
0003212296.tif 000002
【実用新案登録請求の範囲】
【請求項１】
枠組み足場柱（１０）及び足場シート（２０）を固定した建築足場の固定構造であって、足場柱固定冶具（３０）は、開口部（３１）を有するリング形状の構造体（３２）であって、且つ、形状記憶合金の素材から形成されていて、
前記足場シート（２０）にはハトメ穴があり、当該足場シートのハトメ穴に前記足場固定治具（３０）の開口部（３１）を通して足場柱固定冶具（３０）を枠組み足場柱（１０）に嵌め込むことにより、前記足場シート（２０）を前記枠組み足場柱（１０）に固定したことを特徴とする、建築足場の固定構造。
【請求項２】
前記リング形状の構造体（３２）の両端は、フック構造（３３）、かぎ形のフック構造（３４）、又は両端部を丸め球状の構造（３５）からなる足場柱固定冶具（３０）であることを特徴とする、請求項１記載の建築足場の固定構造。
【請求項３】
前記リング形状の構造体（３２）には、当該構造体内を移動可能とするためのリング（２６）が備わり、他端はフック構造（２７）を有する足場シート固定用の部品（２５）が少なくとも１個備わったことを特徴とする、請求項１記載の建築足場の固定構造。
【請求項４】
前記足場シート（２０）が複数存在していて、当該足場シート（２０）同士を形状記憶合金の素材から形成されたクリップ構造体である足場シート固定冶具（４０）にて固定したことを特徴とする、請求項１に記載の建築足場の固定構造。
【考案の詳細な説明】
【技術分野】
【０００１】本考案は、建築足場用の枠組み足場柱とシート、及びシート同士の固定構造に関する。
【背景技術】
【０００２】建築現場において作業する際に造る仮設の作業床や通路として利用される一定間隔に緊結部を備えた鋼管を支柱とする足場柱と、緊結部付きの水平材、斜材、作業床等を前記緊結部に楔にて緊結する足場に対して、前記足場から物体が落下した際に危険性を回避するための複数のハトメ金具を備えたシートの固定のために前記シートのハトメ金具の穴に結束紐を通して前記足場柱に結ぶことにより固定させていた。同様にシート同士の固定に関しても前記ハトメ金具の穴に紐を通し、結んで固定させていた。【０００３】上述したような紐を使用した足場柱とシートの固定作業およびシート同士の固定作業に関しては、作業員の技術に差があるために解けたり、弛んだりすることがあり、足場作業中に前記シートに物が当たると外れたりするため危険性がある。また、紐を結んで固定する作業のために大幅な作業時間を必要とするなどの問題があった。
【先行技術文献】
【特許文献】
【０００４】
【特許文献１】特開２０００−２０４７６７号
【特許文献２】特開２０００−２２６９３４号
【考案の概要】
【考案が解決しようとする課題】
【０００５】特許文献１には、仮設足場用支柱に建築用シートを取付けるさいに使用する取付け金具であって、上記支柱の外周面に突設されてなる係合ボックスに係止自在とされたクサビ体と、建築用シートの鳩目に挿入掛止せしめるべく該クサビ体に突設された掛止片と、該掛止片の先部に倒起立自在に軸着された抜止めピンとよりなることを特徴とする、建築用シートの取付け金具が提案されている。【０００６】特許文献２には、建築建設現場の足場の外周に用いる足場囲い用のシートを、前記足場を構成する単管、建枠等に架設する架設係止用ハンガークランプであって、クランプ部及びボルト、ナットを有すると共に該クランプ部に足場囲い用のシートの孔に挿入して架設するための脚部を有し、該シートの一の孔に挿入して架設するための脚部が、一の脚部のみを有することを特徴とするシートの足場への架設係止用ハンガークランプが提案されている。【０００７】しかし、上記技術いずれもが簡単、且つ容易に足場柱とシートの固定作業を行うためのものであるが、例えば、大型のビルディングなど建造する際に当該金具を数千個レベル使用するため、製造コストが高いために実用化されていないという課題がある。
【考案が解決しようとするための手段】
【０００８】本考案の建築足場の第一の形態である固定構造は、枠組み足場柱及び足場シートを固定した建築足場の固定構造であって、足場柱固定冶具は、開口部を有するリング形状の構造体であって、且つ、形状記憶合金の素材から形成され、前記足場シートには複数のハトメ穴があり、当該足場シートのハトメ穴に前記足場固定治具の開口部を通して冶具を枠組み足場柱に嵌め込むことにより、前記シートを前記枠組み足場柱に固定したことを特徴とする、建築足場の固定構造である。
【０００９】前記足場柱固定冶具のリング構造体の両端は、フック構造、かぎ形のフック構造または先端部を丸めた球形構造であることを特徴とする建築足場の固定構造である。
【００１０】また、前記足場柱固定冶具のリング構造体には、前記リング構造体を移動可能なリング構造を有し、他端にはフック構造を有する部品が備わり、且つ、形状記憶合金の素材から形成されていることを特徴とする建築足場の固定構造である。
【００１１】本考案の建築足場の第二の実施形態である固定構造は、枠組み足場柱及びシートを固定した建築足場の固定構造であって、当該シート同士を形状記憶合金の素材から成るクリップ構造体である足場シート固定冶具にて固定したことを特徴とする建築足場の固定構造である。
【考案の効果】
【００１２】本考案によれば、安定して足場柱とシート及びシート同士を固定でき、且つ、作業時間を大幅に削減できる。
【図面の簡単な説明】
【００１３】
【図１】足場柱とシートを固定する足場柱固定冶具の基本構造
【図２】リング構造体両端部をフック構造とした足場柱固定冶具
【図３】リング構造体両端部をかぎ形のフック構造とした足場柱固定冶具
【図４】リング構造体両端部を丸め球状の構造とした足場柱固定冶具
【図５】リング構造体内を移動可能とする足場シート固定用の部品を備えた足場柱固定冶具
【図６】リング構造体内を移動可能とする足場シート固定用の部品を備えた他の実施形態である足場柱固定冶具
【図７】リング構造体内を移動可能とする足場シート固定用の部品を備えた他の実施形態である足場柱固定冶具
【図８】シート間同士を固定する足場シート固定冶具
【図９】シート間同士を固定する他の実施形態である足場シート固定冶具
【図１０】足場柱固定冶具と足場シート固定冶具を使用した本考案である建築足場の固定構造
【本考案を実施するための形態】
【００１４】以下、図面に基づいて、本考案の実施形態を説明する。
【実施例】
【００１５】図１は、足場柱とシートを固定する足場柱固定冶具（３０）の基本構造を示したものであり、開口部（３１）を有する形状記憶合金の素材で形成されたリング構造体（３２）から成っている。前記冶具の一実施例として、記憶合金素材から成る直径３ｍｍの番線をリング構造とし、内径５５ｍｍ、開口部２５ｍｍとしている。【００１６】図２は、足場柱とシートを固定する足場柱固定冶具（３０）を示したものであり、開口部（３１）を有する形状記憶合金の素材で形成されたリング構造体（３２）から成り、前記リング構造体（３２）の両端部をフック構造（３３）としている。【００１７】図３は、足場柱とシートを固定する足場柱固定冶具（３０）を示したものであり、開口部（３１）を有する形状記憶合金の素材で形成されたリング構造体（３２）から成り、前記リング構造体（３２）の両端部はかぎ形のフック構造（３４）としている。【００１８】図４は、足場柱とシートを固定する足場柱固定冶具（３０）を示したものであり、開口部（３１）を有する形状記憶合金の素材で形成されたリング構造体（３２）から成り、前記リング構造体（３２）の両端部は丸め球状の構造（３５）としている。【００１９】図５は、図２に示した足場柱固定冶具のリング構造体（３２）内を移動可能とするために、リング形状の構造体（２６）を備え、他端はフック構造（２７）を有する足場シート固定用の部品（２５）を１個のみ備え、且つ、形状記憶合金の素材から形成された足場柱固定冶具（３０）である。前記足場シート固定用の部品（２５）は前記リング構造体（３２）から脱落しないように前記リング構造体（３２）の両端部にキャップ（３６）を取り付けている。当該足場シート固定用の部品（２５）を備えることで、例えば、足場固定冶具（３０）のフック構造と足場シートのハトメ穴の距離が足りない場合に利用できる。【００２０】図６は、図３に示した足場柱固定冶具のリング構造体（３２）内を移動可能とするために、リング形状の構造体（２６）を備え、他端はフック構造（２７）を有する足場シート固定用の部品（２５）が備わり、且つ、形状記憶合金の素材から形成された足場柱固定冶具（３０）である。【００２１】図７は、図４に示した足場柱固定冶具のリング構造体（３２）内を移動可能とするために、リング形状の構造体（２６）を備え、他端はかぎ形フック構造（２８）を有する足場シート固定用の部品（２５）が備わり、且つ、形状記憶合金の素材から形成された足場柱固定冶具（３０）である。【００２２】図８は、シート同士を固定する足場シート固定冶具（４０）の正面図を示したものであり、形状記憶合金の素材で形成されたクリップ構造体であり、当該冶具の一実施例として、横幅３０ｍｍ、縦幅１５ｍｍとしている。
図９にはシート同士を固定する足場シート固定冶具（４０）の他の実施形態を示しており、形状記憶合金の素材で形成されたクリップ構造体から成る。尚、足場シートに備わったハトメ金具の位置はシート端部から約１０ｍｍ前後であるため、足場シート間を固定するために縦幅は少なくとも２０ｍｍ以上が好ましく、シート間同士の隙間を出来るだけ少なくするために最大縦幅としては４０ｍｍ以下が好ましい。【００２３】図１０は、枠組み足場柱と足場シート（２０）に関して、本考案の足場固定冶具（３０）および足場シート固定冶具（４０）を使用した際の建築足場の固定構造を示す。【００２４】尚、本考案の実施形態は一例であり本考案を逸脱しない範囲での変更は可能である。
【符号の説明】
【００２５】１０  枠組み足場柱
２０  足場シート
２５  足場シート固定用の部品
２６  リング形状の構造体
２７  フック構造
２８  かぎ形のフック構造
３０  足場固定冶具
３１  開口部
３２  リング形状の構造体
３３  フック構造
３４  かぎ形のフック構造
３５  球状の構造
３６  キャップ
４０  足場シート固定冶具
【図１】
0003212296.tif 000003
【図２】
0003212296.tif 000004
【図３】
0003212296.tif 000005
【図４】
0003212296.tif 000006
【図５】
0003212296.tif 000007
【図６】
0003212296.tif 000008
【図７】
0003212296.tif 000009
【図８】
0003212296.tif 000010
【図９】
0003212296.tif 000011
【図１０】
0003212296.tif 000012